(57)【要約】【課題】脱臭塔内を整流化して脱臭効率の向上を図ることができる脱臭塔の整流方法と、この整流方法による脱臭塔構造および整流蓋体を提供する。【解決手段】下端部に入口１１が形成され、この入口１１と対向する上端部に出口１２が形成され、かつ、入口１１よりも大口径に形成された塔本体１０内には脱臭剤層１３が設けられてなり、入口１１から塔本体１０内に流入したガスが脱臭剤層１３を通過して出口１２から流出するようになされた脱臭塔構造において、有底円筒状に形成されるとともに、円筒部外周面には複数の開口部２０が形成されたストレーナ２が、塔本体１０内に面した入口１１開口部に、１個または複数個設けられてなり、入口１１からのガスは、流入上流側でストレーナ２の底部に止められて円筒部外周面の開口部２０から塔本体１０内に分散流入するようになされたものである。【選択図】  図１
2007054771.tif 000002
【特許請求の範囲】
【請求項１】
下端部に入口が形成され、この入口と対向する上端部に出口が形成され、かつ、入口よりも大口径に形成された塔本体内には脱臭剤層が設けられてなり、入口から塔本体内に流入したガスが脱臭剤層を通過して出口から流出するようになされた脱臭塔構造において、  有底円筒状に形成されるとともに、円筒部外周面には複数の開口部が形成されたストレーナを、塔本体内に面した入口に、１個または複数個設け、入口からのガスを流入上流側でストレーナの底部で止めて円筒部外周面の開口部から塔本体内に分散流入させることを特徴とする脱臭塔の整流方法。
【請求項２】
下端部に入口が形成され、この入口と対向する上端部に出口が形成され、かつ、入口よりも大口径に形成された塔本体内には脱臭剤層が設けられてなり、入口から塔本体内に流入したガスが脱臭剤層を通過して出口から流出するようになされた脱臭塔構造において、  有底円筒状に形成されるとともに、円筒部外周面には複数の開口部が形成されたストレーナが、塔本体内に面した入口開口部に、１個または複数個設けられてなり、入口からのガスは、流入上流側でストレーナの底部に止められて円筒部外周面の開口部から塔本体内に分散流入するようになされたことを特徴とする脱臭塔構造。
【請求項３】
下端部に入口が形成され、この入口と対向する上端部に出口が形成され、かつ、入口よりも大口径に形成された塔本体内には脱臭剤層が設けられてなり、入口から塔本体内に流入したガスが脱臭剤層を通過して出口から流出するようになされた脱臭塔構造において、塔本体内の整流を行なう整流蓋体であって、
少なくとも入口を閉塞可能となされた大きさの蓋体と、有底円筒状に形成されるとともに、円筒部外周面に複数の開口部が形成されたストレーナとからなり、蓋体に、１個または複数個のストレーナが設けられ、入口からのガスを、ストレーナの円筒部外周面の開口部から塔本体内に分散流入させることができるようになされたことを特徴とする整流蓋体。
【発明の詳細な説明】
【技術分野】
【０００１】
本発明は、洗浄法、吸着法、生物脱臭法などのいずれの脱臭方法にも適用することができる脱臭塔の整流方法と、この整流方法を用いた脱臭塔構造および整流蓋体に関するものである。
【背景技術】
【０００２】
従来より、洗浄法、吸着法、生物脱臭法などの脱臭方法には、例えば図７に示すような脱臭塔ａが用いられていた。この脱臭塔ａの内部には、充填剤や吸着剤などによって形成された脱臭剤層ｂを多段に設けるようになされており、脱臭塔ａの下端部に設けられた入口ｃからのガスは、この脱臭剤層ｂを通過した後、上端部に設けられた出口ｄから排出するようになされていた。また、この脱臭塔ａは、頻繁に脱臭剤層ｂを交換することなく大量のガスを脱臭することができるように、ガスの入口ｃや出口ｄの管径よりも大口径に形成されていた。
【発明の開示】
【発明が解決しようとする課題】
【０００３】
しかし、図８に示すように、脱臭塔ａ内の線速度分布を見るとわかるように、小口径の入口ｃから大口径の脱臭塔ａ内に流入したガスは、脱臭塔ａ内の特定の部位だけ流速が速くなり、この特定の部位に集中して流れ易くなってしまう。したがって、脱臭剤層ｂは、ガスの流速が速い部分だけ除去効率が低下したり、このガスが流れ易い特定部位だけが破過してしまうこととなる。その結果、計算よりも早く脱臭剤層ｂの寿命が来て交換頻度が多くなるといった不都合を生じることとなる。
【０００４】
本発明は、係る実情に鑑みてなされたものであって、脱臭塔内を整流化して脱臭効率の向上を図ることができる脱臭塔の整流方法と、この整流方法による脱臭塔構造および整流蓋体を提供することを目的としている。
【課題を解決するための手段】
【０００５】
上記課題を解決するための本発明の脱臭塔の整流方法は、下端部に入口が形成され、この入口と対向する上端部に出口が形成され、かつ、入口よりも大口径に形成された塔本体内には脱臭剤層が設けられてなり、入口から塔本体内に流入したガスが脱臭剤層を通過して出口から流出するようになされた脱臭塔構造において、有底円筒状に形成されるとともに、円筒部外周面には複数の開口部が形成されたストレーナを、塔本体内に面した入口に、１個または複数個設け、入口からのガスを流入上流側でストレーナの底部で止めて円筒部外周面の開口部から塔本体内に分散流入させるものである。
【０００６】
また、上記課題を解決するための本発明の脱臭塔構造は、下端部に入口が形成され、この入口と対向する上端部に出口が形成され、かつ、入口よりも大口径に形成された塔本体内には脱臭剤層が設けられてなり、入口から塔本体内に流入したガスが脱臭剤層を通過して出口から流出するようになされた脱臭塔構造において、有底円筒状に形成されるとともに、円筒部外周面には複数の開口部が形成されたストレーナが、塔本体内に面した入口に、１個または複数個設けられてなり、入口からのガスは、流入上流側でストレーナの底部に止められて円筒部外周面の開口部から塔本体内に分散流入するようになされたものである。
【０００７】
さらに、上記課題を解決するための本発明の整流蓋体は、下端部に入口が形成され、この入口と対向する上端部に出口が形成され、かつ、入口よりも大口径に形成された塔本体内には脱臭剤層が設けられてなり、入口から塔本体内に流入したガスが脱臭剤層を通過して出口から流出するようになされた脱臭塔構造において、塔本体内の整流を行なう整流蓋体であって、少なくとも入口を閉塞可能となされた大きさの蓋体と、有底円筒状に形成されるとともに、円筒部外周面に複数の開口部が形成されたストレーナとからなり、蓋体に、１個または複数個のストレーナが設けられ、入口からのガスを、ストレーナの円筒部外周面の開口部から塔本体内に分散流入させることができるようになされたものである。
【発明の効果】
【０００８】
以上述べたように、本発明によると、脱臭塔内に流速の速い部分を作ることなく整流することができるので、脱臭剤層の一部にガスが集中して脱臭効率が低下したり、脱臭剤層の部分的な破過を防止することができ、長期にわたり優れた脱臭効率を維持することが可能となる。
【発明を実施するための最良の形態】
【０００９】
以下、本発明の実施の形態を図面を参照して説明する。
【００１０】
図１は一実施例として下水道の脱臭で最も多く採用されている脱臭塔１の全体構成の概略を示し、図２は同脱臭塔１に用いられているストレーナ２を示し、図３はこの脱臭塔１に用いられる整流蓋体１ａを示している。
【００１１】
すなわち、この脱臭塔構造は、下端部に入口１１が形成され、この入口１１と対向する上端部に出口１２が形成され、かつ、入口１１よりも大口径に形成された塔本体１０内には脱臭剤層１３が設けられてなり、入口１１から塔本体１０内に流入したガスが脱臭剤層１３を通過して出口１２から流出するようになされた脱臭塔１の構造において、塔本体１０内に面した入口１１に、ストレーナ２が設けられている。
【００１２】
塔本体１０は、縦１ｍ×横１ｍ×高さ２．８ｍのボックス状に形成されている。塔本体１０内の底面から高さ６０ｃｍの位置には、突出幅１５ｃｍ、高さ１０ｃｍのリブ１４が周設されており、このリブ１４上に脱臭剤層１３を多段に積載可能となされている。
【００１３】
入口１１および出口１２は、３０ｃｍ×３０ｃｍの大きさに開口されており、それぞれ角パイプ状のダクト３が接続されている。入口１１は、塔本体１０のリブ１４より下側に位置する一側面の中央に設けられており、出口１２は、この一側面と対向する側面の上端中央の位置に設けられている。
【００１４】
脱臭剤層１３は、縦８０ｃｍ×横８０ｃｍ×高さ５０ｃｍの大きさに形成されており、下段、中段、上段の３つを積載して構成されている。下段の脱臭剤層１３には、硫化水素、メチルメルカプタンなどの臭気を吸着する酸性臭気用脱臭剤が設けられている。中段の脱臭剤層１３には、アンモニア、トリメチルアミンなどの臭気を吸着する塩基性臭気用脱臭剤が設けられている。上段の脱臭剤層１３には、硫化メチル、二硫化メチルなどの臭気を脱臭する中性臭気脱臭剤が設けられている。これらの脱臭剤層１３は、リブ１４との間および各脱臭剤層１３との間にゴムパッキン１５を介して積み重ねるようにして塔本体１０内に設けられる。この際、各脱臭剤層１３の積み重ねを容易に行なうことができるように、塔本体１０内の上部には、クレーン装置１６が設けられている。
【００１５】
ストレーナ２は、直径７５ｍｍ、長さ１５０ｍｍの有底円筒状に形成されており、その円筒外周面には、長さ方向に沿って細長いスリット状となった開口部２０が周設されている。このストレーナ２は、図３に示すように、入口１１を閉塞することができる大きさに形成されたボックス状の蓋体４の、入口１１からのガスが吹き付けられる面４１に、縦３列横３列の合計９個を取り付けて整流蓋体１ａを構成するようになされている。この取り付ける個数としては、特に９個に限定されるものではなく、１個であってもよいし、９個以外の複数個であってもよい。また、このストレーナ２の大きさとしては、同じ大きさのものを複数個取り付けても良いし、異なった大きさのストレーナ２を複数個組み合わせて取り付けてもよい。
【００１６】
なお、ストレーナ２は、その円筒外周面に細長いスリット上の開口部２０が周設されているが、細長いスリット状の開口部２０に限定されるものではなく、円形孔状の開口部２０であっても良いし、円形孔とスリットとを複合したような開口部２０であってもよい。また、ストレーナ２の円筒外周面における開口部２０の開口率としては、配置する場所に応じて適宜変更された開口率のものが使用される。
【００１７】
また、ストレーナ２は、図４に示すように、平板状の蓋体４０に取り付けて整流蓋体１ａを構成するようになされたものであってもよいし、図５に示すように、段違いの高さとなるように設けて整流蓋体１ａを構成するようになされたものであってもよい。また、図６に示すように、入口１１を入った塔本体１０の幅全体にわたって設けるようになされた略長方形ボックス状の蓋体４２を用いた整流蓋体１ａを構成してもよい。この場合、入口１１に近い位置のストレーナ２の開口部２０の開口率を低くし、入口１１から離れた位置のストレーナ２の開口部２０の開口率を高く設定することで、入口１１からストレーナ２を介して塔本体１０内に流入するガスの流速をより均等に分散させることができることとなる。
【００１８】
このようにして構成される脱臭塔１の構造によると、塔本体１０内に流速の速い部分を作ることなく整流することができるので、脱臭剤層１３の一部にガスが集中して脱臭効率が低下したり、脱臭剤層１３の部分的な破過を防止することができ、長期にわたり優れた脱臭効率を維持することが可能となる。
【００１９】
なお、本実施の形態の脱臭塔１において示している塔本体１０、入口１１、出口１２、脱臭剤層１３などの大きさについては、一例であって、脱臭塔１の各部の大きさについては適宜変更したものであってもよい。脱臭剤層１３は、カートリッジ式、又はバラ積み充填式のいずれでもよい。また、ストレーナ２の大きさについても、特に限定されるものではなく、脱臭塔１の大きさに応じて適宜決定された大きさのものを使用することができる。
【産業上の利用可能性】
【００２０】
各種脱臭塔の整流に利用できる。
【図面の簡単な説明】
【００２１】
【図１】本発明に係る脱臭塔の全体の概略を示す構成図である。
【図２】（ａ）および（ｂ）は、本発明に係る脱臭塔に用いられるストレーナを示す側断面図および正面図である。
【図３】ストレーナを蓋体に設けて構成された整流蓋体を示す斜視図である。
【図４】整流蓋体の他の実施の形態を示す斜視図である。
【図５】整流蓋体におけるストレーナの他の配設状態を示す断面図である。
【図６】さらに他の実施の形態の整流蓋体を脱臭塔に取り付けた状態を示す正面図である。
【図７】（ａ）および（ｂ）は、従来の脱臭塔の全体構成の概略を示す断面図および平面図である。
【図８】（ａ）および（ｂ）は、図６に示す脱臭塔のＸ軸およびＹ軸におけるガスの線速度分布を示すグラフである。
【符号の説明】
【００２２】
１  脱臭塔
１ａ  整流蓋体
１０  塔本体
１１  入口
１２  出口
１３  脱臭剤層
２  ストレーナ
２０  開口部
【図１】
2007054771.tif 000003
【図２】
2007054771.tif 000004
【図３】
2007054771.tif 000005
【図４】
2007054771.tif 000006
【図５】
2007054771.tif 000007
【図６】
2007054771.tif 000008
【図７】
2007054771.tif 000009
【図８】
2007054771.tif 000010